(57)【要約】      （修正有）【課題】電池切れの場合を確実に表示し、単に圏外となった場合との区別を可能とする受信装置を提供する。【解決手段】電池の電力により動作すると共に生体情報を取得して送信する端末装置３０１〜３０ｎから送られる生体情報を受信して、この生体情報に基づく表示を行う受信装置であって、前記端末装置３０１〜３０ｎから送信される電波の途絶えを検出する電波検出手段４１と、前記端末装置３０１〜３０ｎから送信される電池残量情報に基づき第１の表示を行うと共に、この第１の表示中に電波の途絶えが検出されたとき或いは第１の表示中に電池残量無を示す電池残量情報が送られて来たときには、第１の表示から第２の表示へ表示変更を行う表示制御手段４２とを具備する。【選択図】図１
2015039526.tif 000002
【特許請求の範囲】
【請求項１】
電池の電力により動作すると共に生体情報を取得して送信する端末装置から送られる生体情報を受信して、この生体情報に基づく表示を行う受信装置であって、
前記端末装置から送信される電波の途絶えを検出する電波検出手段と、
前記端末装置から送信される電池残量情報に基づき第１の表示を行うと共に、この第１の表示中に電波の途絶えが検出されたとき或いは第１の表示中に電池残量無を示す電池残量情報が送られて来たときには、第１の表示から第２の表示へ表示変更を行う表示制御手段と
を具備することを特徴とする受信装置。
【請求項２】
表示制御手段は、第１の表示として、電池交換を促すメッセージ文字と共に電池残量に応じた電池マークの表示を行うことを特徴とする請求項１に記載の受信装置。
【請求項３】
表示制御手段は、第２の表示として、第１の表示と異なる電池残量無状態の電池マークの表示を行うことを特徴とする請求項１又は２に記載の受信装置。
【請求項４】
表示制御手段は、電波の途絶えが検出されたときには、電波の途絶えを示すメッセージ文字の表示を行うことを特徴とする請求項１乃至３のいずれか１項に記載の受信装置。
【請求項５】
表示制御手段は、複数の端末装置に対応して１画面を区分して、区分された表示領域に各端末装置の情報に関する表示を行うことを特徴とする請求項１乃至４のいずれか１項に記載の受信装置。
【請求項６】
電池の電力により動作し、生体情報を取得して送信すると共に、前記電池の残量を検出して電池残量情報を送信する端末装置と、
前記端末装置から送られる生体情報を受信して、この生体情報に基づく表示を行う受信装置であって、請求項1乃至５のいずれか１項に記載の受信装置と
を具備することを特徴とする生体情報収集システム。
【請求項７】
端末装置には、情報を表示する表示手段及び電池残量情報に基づく表示を前記表示手段において行う端末側表示制御手段が備えられていることを特徴とする請求項６に記載の生体情報収集システム。
【発明の詳細な説明】
【技術分野】
【０００１】
この発明は、生体情報収集システムを構成する受信装置及び、生体情報収集システムに関するものである。
【背景技術】
【０００２】
電池の電力により動作するテレメータなどの端末装置と、この端末装置から送られる情報を受信して表示などを行う受信装置とにより構成される生体情報収集システムは知られている。このような生体情報収集システムにおいて、端末装置に備えられている電池の残量が低下すると、これを知らせる必要がある。
【０００３】
通常、単独で使用される端末装置の場合には、端末装置において電池の残量が所定値よりも少なくなった場合には電池のアイコンを拡大するものが知られている（特許文献１参照）。
【０００４】
しかしながら、上記のように端末装置において表示を行ったとしても、受信装置において端末装置の電池残量を知ることができない。これに対し、作業機の遠隔操作装置に関するものであるが、遠隔操作手段に電池残量を表示する機能を備えたものが知られている（特許文献２参照）。
【０００５】
更に、電池残量を表す電池残量情報と受信した情報を表示する表示手段を備えた携帯通信機が知られている（特許文献３参照）。この特許文献３には、該携帯通信機をテレメトリシステムに適用した実施形態の開示はされていないが、受信機能を有した携帯通信機に適用可能である旨の記載がなされている。
【先行技術文献】
【特許文献】
【０００６】
【特許文献１】特開２０００−２４９７２４号公報
【特許文献２】特開２０１０−２６１３８１号公報
【特許文献３】特開２００５−１１７９００号公報
【発明の概要】
【発明が解決しようとする課題】
【０００７】
上記の通り、テレメータ端末と受信装置とにより構成されるようなシステムにおいては、電池残量が受信装置側において表示される程度である。しかしながら、生体情報収集のような医療の分野においては、テレメータ端末は患者などに装着されており、所謂圏外へ患者が移動したようなときには電池残量情報を取得することができない。更に、電池の残量が殆ど無くなった場合には受信装置においてテレメータ端末からの電波を受信できない場合があり、圏外へ移動した場合と区別することができない。
【０００８】
本発明は上記のような生体情報収集システムの現状に鑑みてなされたもので、その目的は、所謂電池切れとなったような場合を確実に捕らえて受信装置において表示し、単に圏外となった場合との区別を可能とする受信装置を提供することである。また、このような受信装置を用いて構成した生体情報収集システム提供することを他の目的とする。
【課題を解決するための手段】
【０００９】
本発明に係る受信装置は、電池の電力により動作すると共に生体情報を取得して送信する端末装置から送られる生体情報を受信して、この生体情報に基づく表示を行う受信装置であって、前記端末装置から送信される電波の途絶えを検出する電波検出手段と、前記端末装置から送信される電池残量情報に基づき第１の表示を行うと共に、この第１の表示中に電波の途絶えが検出されたとき或いは第１の表示中に電池残量無を示す電池残量情報が送られて来たときには、第１の表示から第２の表示へ表示変更を行う表示制御手段と
を具備することを特徴とする。
【００１０】
本発明に係る受信装置では、表示制御手段は、第１の表示として、電池交換を促すメッセージ文字と共に電池残量に応じた電池マークの表示を行うことを特徴とする。
【００１１】
本発明に係る受信装置では、表示制御手段は、第２の表示として、第１の表示と異なる電池残量無状態の電池マークの表示を行うことを特徴とする。
【００１２】
本発明に係る受信装置では、表示制御手段は、電波の途絶えが検出されたときには、電波の途絶え示すメッセージ文字の表示を行うことを特徴とする。
【００１３】
本発明に係る受信装置では、表示制御手段は、複数の端末装置に対応して１画面を区分して、区分された表示領域に各端末装置の情報に関する表示を行うことを特徴とする。
【００１４】
本発明に係る生体情報収集システムは、電池の電力により動作し、生体情報を取得して送信すると共に、前記電池の残量を検出して電池残量情報を送信する端末装置と、前記端末装置から送られる生体情報を受信して、この生体情報に基づく表示を行う受信装置であって、請求項1乃至６のいずれか１項に記載の受信装置とを具備することを特徴とする。
【００１５】
本発明に係る生体情報収集システムでは、端末装置には、情報を表示する表示手段及び電池残量情報に基づく表示を前記表示手段において行う端末側表示制御手段が備えられていることを特徴とする。
【発明の効果】
【００１６】
本発明によれば、電池残量情報に基づき第１の表示を行うと共に、この第１の表示中に電波の途絶えが検出されたとき或いは第１の表示中に電池残量無を示す電池残量情報が送られて来たときには、第１の表示から第２の表示へ表示変更を行うので、所謂電池切れとなったような場合を確実に捕らえて、電池交換を促す第１の表示から第２の表示への表示変更がなされ、受信装置において、端末装置が単に圏外となった場合との区別が可能となる。
【図面の簡単な説明】
【００１７】
【図１】本発明に係る受信装置を含む生体情報収集システムの実施形態の構成を示すブロック図。
【図２】本発明に係る受信装置の実施形態による表示画面の例を示す図。
【図３】本発明に係る受信装置の実施形態により表示される電池残量マークの表示変化を示す図。
【図４】本発明に係る受信装置の実施形態により表示されるアンテナマークの表示変化を示す図。
【図５】本発明に係る受信装置の実施形態による表示画面の例を示す図であり、完全に電池残量が無くなったときの表示例を示す図。
【図６】本発明に係る受信装置の実施形態による動作を説明するためのフローチャート。
【発明を実施するための形態】
【００１８】
以下添付図面を参照して本発明に係る受信装置及び生体情報収集システムの実施形態を説明する。各図において同一の構成要素には、同一の符号を付して重複する説明を省略する。図１は、本発明に係る生体情報収集システムの実施形態を示す構成図である。
【００１９】
実施形態の生体情報収集システムは、受信装置であるセントラルモニタ１０と、端末装置３０１、３０２、・・・、３０ｎとにより構成することができる。端末装置は、１または複数台である。端末装置３０１、３０２、・・・、３０ｎは、同じ構成であっても良いが、ここでは、取得する生体情報が異なるものを示しており、センサの数や種類が異なるものを例とする。
【００２０】
端末装置３０１、３０２、・・・、３０ｎは、それぞれ、コンピュータなどにより構成される制御部３１１、３１２、・・・、３１ｎが各部を制御するように構成されている。端末装置３０１、３０２、・・・、３０ｎは、それぞれ、電池３２１、３２２、・・・、３２ｎの電力により動作を行う。端末装置３０１、３０２、・・・、３０ｎには、それぞれ、電池３２１、３２２、・・・、３２ｎの残量を検出する残量検出手段３３１、３３２、・・・、３３ｎが備えられている。端末装置３０１、３０２、・・・、３０ｎには、それぞれ、送受信部３４１、３４２、・・・、３４ｎが備えられている。
【００２１】
端末装置３０１、３０ｎには、それぞれ、表示部３５１、３５ｎが備えられている。端末装置３０１には、センサ２１〜２３が備えられている。端末装置３０２には、センサ２４、２５が備えられている。端末装置３０ｎには、センサ２６〜２８が備えられている。センサ２１〜２８は、心電図、血圧、体温、脈波などの生体信号を取り出すためのセンサであり、上記の個数は一例に過ぎない。端末装置３０１、３０２、・・・、３０ｎは、必要に応じて、所要の生体信号を得るためのセンサが所要数設けられる。
【００２２】
以上のように構成された端末装置３０１、３０２、・・・、３０ｎは、それぞれ、電池の電力により動作し、生体情報を取得して送信すると共に、電池の残量を検出して電池残量情報を送信する。
【００２３】
一方、受信装置であるセントラルモニタ１０には、コンピュータなどにより構成され、各部を制御する中央制御部１１が設けられ、中央制御部１１には、情報を表示するための表示部１２、端末装置３０１、３０２、・・・、３０ｎとの間で無線通信を行うための送受信部１３、コマンドや情報を入力するためのキーボード、タッチパネル、マウスなどの入力部１４が接続されている。また、中央制御部１１には、アラーム音などの発生させるためのスピーカが備えられていても良い。
【００２４】
中央制御部１１には、電波検出手段４１、表示制御手段４２が備えられている。電波検出手段４１は、端末装置３０１、３０２、・・・、３０ｎから送信される電波の途絶えを検出するものである。表示制御手段４２は、端末装置３０１、３０２、・・・、３０ｎから送られる生体情報が受信されると、この生体情報に基づく表示を表示部１２に行う。この場合、表示制御手段４２は、複数の端末装置に対応して１画面を区分して、区分された表示領域に各端末装置の情報に関する表示を行うようにしても良い。
【００２５】
図２に、複数の端末装置に対応して１画面を区分して、区分された表示領域に各端末装置の情報に関する表示を行った表示画面の例を示す。この例では、８個の端末装置に対応して画面全体を左右に二分割し、左右を縦方向に四分割した８の表示領域としている。
【００２６】
表示領域８３には、上段に患者ＩＤ或いはベッド番号が表示され、その下段にはチャネル番号が表示される。
【００２７】
更に、表示領域８３の右側の表示領域は、電池残量マーク８５が表示される領域である。電池残量マーク８５は、乾電池形状の枠線内に、長手方向に台形や平行四辺形の矩形セグメントが例えば最大で３本表示される。電池残量マーク８５と「状態」とは例えば図３に示す４状態に変化する。なお、図３の最下欄の電池残量マーク８５は、枠線が赤色で表示される。上記図３の最下欄の電池残量マーク８５は、表示制御手段４２によって表示制御される第１の表示とすることができる。
【００２８】
電池残量マーク８５が表示される領域の右側の表示領域は、受信状態を示すアンテナマーク８４が表示される領域である。アンテナマーク８４のアンテナバー表示は、図４に示されるように４状態に変化し、それぞれの受信状態は図４の下欄に示される通りである。
【００２９】
表示領域８３から左側の領域に対して下側の表示領域８６は、電池残量が無く空である電池マークを拡大して示すアラーム時電池残量マーク８７（図５）を表示する領域である。このアラーム時電池残量マーク８７は、上記第１の表示を行っている場合（表示中）に電波の途絶えが検出されたとき或いは第１の表示を行っている場合（表示中）に電池残量無を示す電池残量情報が送られて来たときに、第１の表示からの表示変更によって表示される第２の表示とすることができる。表示領域８６の右側の表示領域８８は、生体情報の表示領域であり、信号波形などが表示される。表示領域８８の下段の表示領域８９は、メッセージ文字の表示領域であり、電池交換を促すメッセージ文字としての「電池交換」や電波の途絶え示すメッセージ文字としての「電波切れ」などが表示される領域である。ここで、「電池残量無を示す電池残量情報」とは、例えば電池が完全に無くなる直前に送信される特殊な信号などをいう。
【００３０】
以上の通りに構成された生体情報収集システムにおいては、中央制御部１１が図６に示すフローチャートに対応するプログラムを実行することにより、電波検出手段４１、表示制御手段として機能するので、以下においては、このフローチャートに基づき動作説明を行う。なお、このフローチャートは、１つの端末装置に対応する動作を示したものである。生体情報収集システムの動作開始によりスタートとなり、電波が途絶えた状態であるか否かを検出する（Ｓ１１）。
【００３１】
上記ステップＳ１１において、電波が途絶えた状態ではないことが検出されると、受信された生体情報に基づき表示領域８８に生体情報の信号波形を表示し、送信されてくる電池残量情報に基づき第１の表示として電池残量マーク８５を表示する（Ｓ１２）。電池残量マーク８５は、既に説明した通り、十分な電池残量であればセグメントが３本表示される電池マークである。ステップＳ１２に続くステップでは、送信されてくる電池残量情報に基づき電池残量が電池交換のレベルであるか否かを検出する（Ｓ１３）。
【００３２】
電池残量が電池交換のレベルである場合には、表示領域８９に電池交換を促すメッセージ文字としての「電池交換」と共に電池残量無状態の電池マーク（図４の最下欄）を表示する（Ｓ１４）。上記電池残量無状態の電池マークは、電池残量マーク８５と同じ位置に表示される。この状態が図２に示された画面全体の左最上部の表示領域に示されている、第１の表示である。上記ステップＳ１４を終了した場合、またはステップＳ１３においてＮＯへ分岐した場合には、エンドとなる。
【００３３】
一方、ステップＳ１１において電波が途絶えた状態であることが検出された場合には、電波の途絶えを示す「電波切れ」のメッセージ文字表示領域８９に表示すると共にアンテナマーク８４を例えば赤色で表示し、生体情報の表示領域８８に生体信号波形として有り得ない鋸歯状波を表示する（Ｓ１５）。このステップＳ１５に続いて既にステップＳ１３において電池残量が交換レベルであったか否かを検出する（Ｓ１６）。このとき、ステップＳ１３において電池残量が交換レベルであったことが検出されていると、第１の表示から、この第１の表示と異なる第２の表示へ表示変更を行う（Ｓ１７）。
【００３４】
また、ステップＳ１６においてステップＳ１３で電池残量が交換レベルでなかった場合には、エンドとなる。
【００３５】
上記ステップＳ１７において、第２の表示とは、図５における画面全体の左最上部の表示領域に示されている表示例を採用することができる。即ち、図２に示されている通常時電池残量マーク８５を消去し、電池残量が無く空である電池マークを拡大して示すアラーム時電池残量マーク８７を表示領域８６に表示する。更に、電波の途絶えを示す「電波切れ」のメッセージ文字表示領域８９に表示すると共にアンテナマーク８４を例えば赤色で表示し、更に、生体情報の表示領域８８に生体信号波形として有り得ない鋸歯状波を表示する。
【００３６】
以上の通り、電池交換の必要が無い電池残量の状態において電波が途絶えた状態であるとなった場合（単に「電波切れ」となった場合）には、「電波切れ」のメッセージ文字を表示する。一方、電池交換の必要な電池残量の状態においては第１の表示として「電池交換」の表示を行う。この第１の表示の状態から電波が途絶えた状態である「電波切れ」となった場合には、第１の表示と異なる第２の表示を行うので、患者が圏外に移動したのではなく、完全に電池残量が無くなったと思われる状態がアラーム表示され、確実に電池交換が必須であることを知らせることができる。また、単に「電波切れ」となった場合には、患者が圏外に移動した可能性が高いことを推定できる。更に、「電波切れ」ではなく「電池交換」のときに第１の表示を行うので、完全に電池残量が完全に無くなる前に電池交換を促すことができる。
【００３７】
なお、端末装置が表示部を備える場合には、電池残量検出部において検出した電池残量情報に基づく表示を表示部（表示手段）において行う端末側表示制御手段を設けるようにしても良い。この場合に表示は適宜行われるが、電池マークとメッセージ文字の少なくとも一方を表示するようにしても良い。
【符号の説明】
【００３８】
２１〜２８  センサ
１０  セントラルモニタ
１１  中央制御部
１２  表示部
１３  送受信部
１４  入力部
３０１〜３０ｎ  端末装置
４１  電波検出手段
４２  表示制御手段
３１１〜３１ｎ  制御部
３２１  〜３２ｎ  電池
３３１  〜３３ｎ  残量検出手段
３４１  〜３４ｎ  送受信部
３５１  〜３５ｎ  表示部
【図１】
2015039526.tif 000003
【図２】
2015039526.tif 000004
【図３】
2015039526.tif 000005
【図４】
2015039526.tif 000006
【図５】
2015039526.tif 000007
【図６】
2015039526.tif 000008